(57)【要約】【課題】コンテンツのプロバイダがより効果的にコンテンツに関する情報を配信すること。【解決手段】  情報処理装置は、場所に関連付けられたアイテムの情報を記憶し、端末装置のユーザ入力に応じて、当該ユーザとアイテムとを関連付けた情報を記憶する。情報処理装置は、所定のタイミングで、当該アイテムに関連付けられた通知内容を当該端末装置に通知する。【選択図】図２
2014153774.tif 000002
【特許請求の範囲】
【請求項１】
場所に関連付けられたアイテムの情報を記憶するアイテム記憶手段と、
通知内容を前記アイテムに関連付けて記憶する通知情報記憶手段と、
端末装置のユーザ入力に応じて、当該ユーザと前記アイテムとを関連付けた情報を記憶するお気に入り登録手段と、
所定のタイミングで、前記アイテムに関連付けられた前記ユーザの端末装置に、当該アイテムに関連付けられた前記通知内容を通知する通知手段と
を備えたことを特徴とする情報処理装置。
【請求項２】
前記通知手段は、さらに、前記所定のタイミングで、前記アイテムに関連付けられた前記通知内容を、当該アイテムに対応する他の前記アイテムに関連付けられたユーザの端末装置に通知することを特徴とする請求項１に記載の情報処理装置。
【請求項３】
前記所定のタイミングは、前記アイテムに関連付けられた前記ユーザの端末装置が、当該アイテムに予め関連付けられた通知範囲の領域に進入したときを含むことを特徴とする請求項１又は２に記載の情報処理装置。
【請求項４】
前記所定のタイミングは、前記お気に入り登録手段による前記情報の記憶から所定の時間が経過したときを含むことを特徴とする請求項１から３のいずれか１項に記載の情報処理装置。
【請求項５】
前記所定のタイミングは、前記アイテムに関連付けられた前記ユーザの端末装置が、当該アイテムに予め関連付けられた他の前記アイテムに関する情報を前記情報処理装置に対して要求したときを含むことを特徴とする請求項１から４のいずれか１項に記載の情報処理装置。
【請求項６】
前記通知手段は、前記通知範囲の情報が示す領域に進入した前記端末装置のユーザの特性に応じて異なる前記通知内容を通知することを特徴とする請求項１から５のいずれか１項に記載の情報処理装置。
【請求項７】
前記通知手段は、前記アイテムに関連付けられた場所から所定の距離の領域に前記端末装置のユーザが訪れた頻度に応じて異なる通知内容を通知することを特徴とする請求項６に記載の情報処理装置。
【請求項８】
前記通知手段は、前記アイテムに関連付けられた場所から前記端末装置のユーザの滞在位置までの距離に応じて異なる通知内容を通知することを特徴とする請求項６に記載の情報処理装置。
【請求項９】
前記通知手段は、前記端末装置のユーザの性別に応じて異なる通知内容を通知することを特徴とする請求項６に記載の情報処理装置。
【請求項１０】
制御部を備える情報処理装置において実施される方法であって、
前記制御部が、場所に関連付けられたアイテムの情報を記憶するアイテム記憶ステップと、
前記制御部が、通知内容を前記アイテムに関連付けて記憶する通知情報記憶ステップと、
前記制御部が、端末装置のユーザ入力に応じて、当該ユーザと前記アイテムとを関連付けた情報を記憶するお気に入り登録ステップと、
前記制御部が、所定のタイミングで、前記アイテムに関連付けられた前記ユーザの端末装置に、当該アイテムに関連付けられた前記通知内容を通知する通知ステップと
を備えることを特徴とする情報処理方法。
【請求項１１】
コンピュータを、
場所に関連付けられたアイテムの情報を記憶するアイテム記憶手段、
通知内容を前記アイテムに関連付けて記憶する通知情報記憶手段、
端末装置のユーザ入力に応じて、当該ユーザと前記アイテムとを関連付けた情報を記憶するお気に入り登録手段、
所定のタイミングで、前記アイテムに関連付けられた前記ユーザの端末装置に、当該アイテムに関連付けられた前記通知内容を通知する通知手段
として機能させるためのプログラム。
【発明の詳細な説明】
【技術分野】
【０００１】
本発明は、情報処理装置、情報処理方法及びプログラムに関する。
【背景技術】
【０００２】
近年、様々な媒体を通じて様々な情報を得ることができ、ユーザは得られた情報を携帯端末に登録する場合がある。例えば、特許文献１には、携帯端末のユーザの指示に応じて、商品のＷｅｂページのＵＲＬ情報をブックマークに書き込むことが記載されている。また、一般に、ユーザが興味を示したコンテンツの情報は、ユーザによるコンテンツの利用の将来の傾向を示す情報となりうるため、コンテンツのプロバイダがコンテンツに関する情報（例えば、広告やクーポン）の配信を効果的に行うための情報として有益な情報である。
【先行技術文献】
【特許文献】
【０００３】
【特許文献１】特開２００８−１４０２５３号公報
【発明の概要】
【発明が解決しようとする課題】
【０００４】
しかしながら、上記の従来技術では、Ｗｅｂに閉じた世界におけるコンテンツに対するユーザの興味をブックマークしているに過ぎず、リアルな世界に関するコンテンツに対するユーザの興味については対象としていない。
【０００５】
本発明は上記の課題に鑑みてなされたものである。本発明の目的は、リアルな世界に関するコンテンツのプロバイダが効果的にコンテンツに関する情報を配信するための技術を提供することにある。
【課題を解決するための手段】
【０００６】
本発明に係る情報処理装置は、場所に関連付けられたアイテムの情報を記憶するアイテム記憶手段と、通知内容を前記アイテムに関連付けて記憶する通知情報記憶手段と、端末装置のユーザ入力に応じて、当該ユーザと前記アイテムとを関連付けた情報を記憶するお気に入り登録手段と、所定のタイミングで、前記アイテムに関連付けられた前記ユーザの端末装置に、当該アイテムに関連付けられた前記通知内容を通知する通知手段とを備えたことを特徴とする。
【０００７】
本発明に係る情報処理方法は、制御部を備える情報処理装置において実施される方法であって、前記制御部が、場所に関連付けられたアイテムの情報を記憶するアイテム記憶ステップと、前記制御部が、通知内容を前記アイテムに関連付けて記憶する通知情報記憶ステップと、前記制御部が、端末装置のユーザ入力に応じて、当該ユーザと前記アイテムとを関連付けた情報を記憶するお気に入り登録ステップと、前記制御部が、所定のタイミングで、前記アイテムに関連付けられた前記ユーザの端末装置に、当該アイテムに関連付けられた前記通知内容を通知する通知ステップとを備えることを特徴とする。
【０００８】
本発明に係るプログラムは、コンピュータを、場所に関連付けられたアイテムの情報を記憶するアイテム記憶手段、通知内容を前記アイテムに関連付けて記憶する通知情報記憶手段、端末装置のユーザ入力に応じて、当該ユーザと前記アイテムとを関連付けた情報を記憶するお気に入り登録手段、所定のタイミングで、前記アイテムに関連付けられた前記ユーザの端末装置に、当該アイテムに関連付けられた前記通知内容を通知する通知手段として機能させることを特徴とする。
【発明の効果】
【０００９】
本発明によれば、リアルな世界に関するコンテンツのプロバイダが効果的にコンテンツに関する情報を配信するための技術を提供することができる。
【図面の簡単な説明】
【００１０】
【図１】一実施形態に係る情報処理システムの構成を示す概念図である。
【図２】一実施形態に係るサーバ装置の機能構成を示すブロック図である。
【図３】一実施形態におけるサーバ装置による通知の例を示す図である。
【図４】一実施形態において、サーバ装置で実行される処理の制御を示すフローチャートである。
【発明を実施するための形態】
【００１１】
以下、本発明の実施形態について、図面を参照しながら詳細に説明する。ただし、以下の説明は単なる一例であり、発明の範囲をこれらに限定するものではない。
【００１２】
また、本実施形態における説明において、「部」とは、物理的な構成を示す場合、ソフトウェアによる機能的な構成を示す場合、又はその双方により実現された構成を示す場合がある。また、１つの構成が有する機能が２つ以上の物理的構成により実現されても、２つ以上の構成の機能が１つの物理的構成により実現されてもよい。
【００１３】
図１を参照して、一実施形態に係る情報処理システムの構成を説明する。情報処理システム１は、サーバ装置１０及び端末装置２０などの情報処理装置を主に備える。端末装置２０は、サーバ装置１０とネットワークＮを介して相互に通信することができる。なお、図１では、３つの端末装置が記載されているが、これは一例にすぎず、サーバ装置１０と通信可能な端末装置の数は、任意であるものとする。
【００１４】
ネットワークＮは、サーバ装置１０及び端末装置２０が相互に情報を送受信するための通信回線である。ネットワークＮは、例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００１５】
サーバ装置１０は、専用又は汎用のサーバ・コンピュータなどの情報処理装置を用いて実現することができる。サーバ装置１０は、主なハードウェア構成として、制御部１１、通信部１４、記憶部１５、ディスプレイ１６及び操作部１７を備える。制御部１１は、ＣＰＵ（Ｃｅｎｔｒａｌ  Ｐｒｏｃｅｓｓｉｎｇ  Ｕｎｉｔ）１２及びメモリ１３を主に備えて構成される。サーバ装置１０は、例えば、メモリ等に格納された所定のプログラムをＣＰＵによって実行することにより、各種の機能実現手段として機能する。なお、サーバ装置１０は、単一の情報処理装置より構成されるものであっても、ネットワーク上に分散した複数の情報処理装置より構成されるものであってもよい。
【００１６】
制御部１１では、ＣＰＵ１２は、記憶部１５等に記憶されたプログラムをメモリ１３に展開して実行することにより、端末装置１０が備える各種構成の動作を制御し、また、各種処理の実行を制御する。制御部１１において実行される処理の詳細は後述する。
【００１７】
通信部１４は、ネットワークＮを介して端末装置２０等の各種情報処理装置と通信するための通信インタフェースである。
【００１８】
記憶部１５は、制御部１１における処理の実行に必要な各種プログラムや各種の情報を記憶する。記憶部１５は、ハードディスク等の記憶装置によって構成される。
【００１９】
ディスプレイ１６は、制御部１１による処理結果などの各種情報を表示する表示装置である。ディスプレイ１６は、液晶や有機ＥＬ等によって構成される。
【００２０】
操作部１７は、サーバ装置１０に対する操作を受け付けるためのユーザインタフェースである。操作部１７は、キーボード、マウスなどの入力装置によって構成される。
【００２１】
端末装置２０は、好適には、携帯電話機、スマートフォン、タブレット端末、ＰＤＡ、ノートパソコンなどの携帯端末により構成される。しかしながら、端末装置２０は他の情報処理端末によって構成されても良い。
【００２２】
図２を参照して、一実施形態に係るサーバ装置１０の機能構成を説明する。サーバ装置１０は、主な機能構成として、ユーザ情報管理部１０１、アイテム情報管理部１０２、お気に入り情報管理部、通知内容情報管理部１０４、通知処理部１０５、及びデータベース１１０を備える。一実施形態において、これらの機能は、制御部１１において、ＣＰＵ１２が、記憶部１５等に記憶されたプログラムをメモリ１３に展開して実行し、サーバ装置１０が備える各構成を制御することにより実現される。
【００２３】
ユーザ情報管理部１０１は、端末装置２０のユーザ情報をデータベース１１０へ登録し、登録された情報を更新及び削除する処理を行う。ユーザ情報管理部１０１は、例えば、端末装置２０から通信部１４を介して受信した命令に応じて、ユーザ情報を登録等する処理を行う。ユーザ情報は、例えば、端末装置２０のユーザのユーザＩＤ及びパスワードを含む。
【００２４】
アイテム情報管理部１０２は、アイテムの情報をデータベース１１０へ登録し、登録されたアイテムの情報を更新及び削除する処理を行う。アイテムとは、コンテンツプロバイダにより端末装置２０のユーザに対して提供される各種の情報コンテンツである。アイテムは、例えば、ある場所で提供されている商品又はサービスに関する情報や、ある場所に位置する施設（例えば、トイレ、喫煙所）及びプレイスポット（サーフスポット、バーベキュー場、登山のできる山など）に関する情報などを含む。すなわち、アイテムは、本実施形態においては、場所に関連付けられてコンテンツプロバイダによって提供された情報である。なお、本実施形態において、コンテンツプロバイダとしては、商品等を提供する者や広告製作会社などのビジネスエンティティ、及び端末装置２０の一般ユーザなどが想定される。アイテム情報管理部１０２は、例えば、通信部１４又は操作部１７等を介して受信した命令に応じて、アイテムを登録等する処理を行う。
【００２５】
お気に入り情報管理部１０３は、端末装置２０のユーザ入力に応じて、アイテムについてのお気に入り情報をデータベース１１０へ登録し、登録されたお気に入り情報を更新及び削除する処理を行う。お気に入り情報とは、データベース１１０へ登録されたアイテム、及びリアルな世界のある場所に実在するオブジェクト（例えば、ある場所で提供されている商品又はサービス、ある場所に位置する施設及びプレイスポットなど）に対する端末装置２０のユーザの興味を示す情報である。お気に入り情報は、例えば、データベース１１０に登録されたアイテムの中から、端末装置２０のユーザ入力に応じて選択されたアイテムについての情報を含む。また、お気に入り情報は、リアルな世界のある場所に実在するオブジェクトについて、端末装置２０のユーザ入力（例えば、画像、音声、テキスト、又はコードのいずれかを少なくとも含みうる）と当該ユーザ入力時の端末装置２０の滞在位置（測位位置）とに応じてアイテム情報管理部１０２が登録したアイテムについての情報を含む。さらに、お気に入り情報は、ユーザ入力をしたユーザと対象アイテムとを関連付けた情報を含む。
【００２６】
お気に入り情報の登録は、任意の方法により行うことができる。例えば、まず、端末装置２０は、データベース１１０に登録されたアイテムの情報をダウンロードして端末装置２０の表示部に表示する。端末装置２０のユーザが、表示されたアイテムの中から気に入ったアイテムを選択すると、選択されたアイテムについての情報はサーバ装置１０へ送信される。お気に入り情報管理部１０３は、端末装置２０から受信した情報を、その端末装置２０のユーザのお気に入り情報としてデータベース１１０へ登録する。
【００２７】
お気に入り情報の登録方法の他の例として、お気に入り情報管理部１０３は、端末装置２０から受信した画像に基づいてお気に入り情報の登録を行うことができる。具体的には、まず、ユーザの指示に応じて、端末装置２０に備えるカメラは、対象物を撮像し、端末装置２０は、当該撮影が行われた位置の情報（例えば、端末装置２０の測位位置の情報）と、当該撮像された画像とをユーザ入力としてサーバ装置１０へ送信する。撮像する対象物としては、例えば、雑誌に掲載されている写真や画像、店に陳列されている商品（又は商品に付されているバーコードや二次元コードなどの画像コード）、飲食店で提供されている料理、建物などが含まれる。アイテム情報管理部１０２は、受信した位置情報と画像とを用いてアイテムの情報をデータベース１１０へ登録する。お気に入り情報管理部１０３は、当該登録されたアイテムについて、画像を送信したユーザのお気に入り情報をデータベース１１０へ登録する。変形例として、サーバ装置１０は、受信した画像を解析し、解析の結果得られた情報に対応するアイテムをデータベース１１０の中から選択し、選択されたアイテムの情報をその端末装置２０のユーザのお気に入り情報としてデータベース１１０へ登録してもよい。なお、画像の解析処理は、画像中に存在する対象物の認識処理や、画像コードの解析処理など、任意の解析処理を含む。解析の結果得られた情報とデータベース１１０の中から選択されるアイテムとの対応付けは、コンテンツプロバイダの希望に応じて予め設定される。また、画像の解析処理は、サーバ装置１０ではなく、端末装置２０において行い、解析結果を端末装置２０からサーバ装置１０へ送信しても良い。
【００２８】
通知内容情報管理部１０４は、端末装置２０のユーザへの通知内容及び通知範囲の情報をアイテムに関連付けてデータベース１１０へ登録し、当該登録された情報を更新及び削除する処理を行う。通知内容とは、コンテンツプロバイダがアイテムに関して、端末装置２０のユーザに対して行う通知の内容である。通知内容としては、例えば、そのアイテムに関する説明、広告、キャンペーン、若しくはクーポンの情報、又はこれらの組み合わせ等が含まれる。なお、通知内容情報管理部１０４は、１つのアイテムに対して異なる複数の通知内容をデータベース１１０に登録することができる。このように１つのアイテムに対して異なる複数の通知内容を登録することによって、後述するように通知処理部１０５によりユーザに対して通知する内容をユーザの特性に応じて変えてもよい。また、通知範囲の情報とは、どこに端末装置２０が位置しているときにその端末装置２０のユーザに対して通知を行うかを示す情報である。通知範囲の情報の設定方法として、例えば、アイテムに関連付けられた場所から所定の距離（例えば、５００ｍ）の範囲の領域で端末装置２０が測位されたときに通知を行うように通知範囲を設定することができる。もしくは、アイテムに関連付けられた場所から所定の距離にある基地局のセル範囲（または、ＷｉＦｉルーターなどの無線ルーターの通信範囲）に端末装置２０が進入したときに通知を行うように通知範囲の情報を設定することができる。
【００２９】
通知処理部１０５は、端末装置２０のユーザがお気に入り情報として登録したアイテムに関連付けて登録されている通知内容の情報を、所定のタイミングで当該端末装置２０へ（例えば、メール又はプッシュ通知によって）通知する。当該通知を行うタイミングは、例えば、端末装置２０のユーザがお気に入り情報として登録したアイテムに関連付けて登録された通知範囲の情報に示された領域に、当該端末装置２０が進入したときとすることができる。この場合、端末装置２０が通知範囲の情報が示す領域に進入したか否かの判断は、サーバ装置１０と端末装置２０のどちらで行っても良い。サーバ装置１０で判断を行う場合、サーバ装置１０は、端末装置２０の測位情報又は端末装置２０が通信を行っている基地局（もしくは無線ルーター）の情報を定期的に受信し、当該受信した情報に基づいて、端末装置２０が通知範囲に進入したか否かの判断を行う。端末装置２０で判断を行う場合、端末装置２０は、測位処理を行い、測位情報に基づいて通知範囲の情報が示す領域に進入したと判断したときに、端末装置２０は通知範囲に進入したことをサーバ装置１０へ通知する。なお、端末装置２０が通知範囲に進入したか否かの判断は、任意の方法で行うことができ、上記の方法に限定しない。
【００３０】
図３は、通知処理部１０５による通知の例を概念的に示している。この例は、アイテムＡに関連付けられて登録されている場所Ｂから所定の距離にある通知範囲Ｃの領域に端末装置２０が進入したときに、アイテムＡに関連付けられて登録されている通知内容がサーバ装置１０から端末装置２０に通知されていることを示している。
【００３１】
通知処理部１０５により通知を行う他のタイミングとして、お気に入り情報管理部１０３によりお気に入り情報が登録されてから所定の時間（例えば、１日）が経過したときとすることができる。さらに、アイテムの内容に応じて複数のアイテムを予め関連付けておき、お気に入り情報によりあるアイテム（第１のアイテム）に関連付けられたユーザの端末装置が、第１のアイテムに関連付けられた他のアイテム（第２のアイテム）に関する情報をサーバ装置１０に対して要求したときを、第１のアイテムに関する情報の通知のタイミングとすることができる。このようにあるアイテムに予め関連付けられた他のアイテムに関する情報が要求されたときを、当該あるアイテムに関する通知のタイミングとすることによって、効果的な通知（例えば、広告）をより広い範囲に行うことができる。なお、通知処理部１０５による通知のタイミングは、上で説明したタイミングのうち任意の複数のものを組み合わせて採用しても良いし、他のタイミングを単独で又は組み合わせて採用しても良い。
【００３２】
また、通知処理部１０５は、あるアイテム（第３のアイテム）に関連する前述した所定のタイミングで（例えば、第３のアイテムのお気に入り登録から１日経過後）、第３のアイテムに対応する他のアイテム（第４のアイテム）に関連付けられた通知内容を第３のアイテムに関連付けられたユーザの端末装置２０に通知することができる。第３のアイテムと第４のアイテムとの間の対応としては、例えば、第３のアイテムが飲食店ａで提供されている料理について端末装置２０のユーザにより撮影された画像に基づいて登録されたアイテムであり、第４のアイテムが飲食店ａのオーナーや従業員などにより提供された飲食店ａについてのアイテムである場合が考えられる。この例の場合、例えば、第３のアイテムに含まれている場所の情報と第４のアイテムに含まれている場所の情報との関係に基づいて、２つのアイテムの対応付けを行うことができる。
【００３３】
また、通知処理部１０５は、１つのアイテムに対して異なる複数の通知内容がデータベース１１０に登録されているときは、ユーザに対して通知する内容をユーザの特性に応じて変えることができる。通知の内容を変える方法の例として、通知処理部１０５は、ユーザがアイテムに関連付けられた場所（または、当該場所から所定の距離の領域）に訪れた頻度に応じて通知内容を変えてもよい（例えば、頻度の低いユーザには通常の広告を配信し、頻度の高いユーザにはクーポンを配信する。）。アイテムに関連付けられた場所（または、当該場所から所定の距離の領域）に訪れる頻度は、例えば、端末装置２０から測位情報を定期的に受信しておき、当該測位情報に基づいて算出することができる。さらに、通知内容情報管理部１０４は、端末装置２０のユーザの滞在する位置（端末装置２０の測位位置）からアイテムに関連付けられた場所までの距離に応じて通知内容を変えてもよい（例えば、より近くに位置する端末装置２０に対して、商品又はサービスについてのより詳しい情報を通知する）。また、通知内容情報管理部１０４は、データベース１１０にユーザ情報としてユーザの性別情報が登録されているときは、ユーザの性別に応じて通知内容を変えてもよい（例えば、男性ユーザには、男性用商品の広告を配信し、女性ユーザには、女性用商品の広告を配信する。）。
【００３４】
以上のように通知処理部１０５による処理によれば、端末装置２０のユーザがアイテムに関連付けられた場所に近づいたときにアイテムに関する情報（例えば、広告、キャンペーン、クーポンの情報）がユーザに配信される。その結果、コンテンツのプロバイダは、より効果的にアイテム（コンテンツ）に関する情報を配信することができる。また、通知処理部１０５は、ユーザに対して通知する内容をユーザの特性に応じて変えることができる。その結果、コンテンツのプロバイダは、さらに効果的にコンテンツに関する情報を配信することができる。
【００３５】
データベース１１０は、制御部１１による処理結果の情報、及び制御部１１による処理に必要な情報等を登録している。データベース１１０は、例えば、ユーザ情報、アイテム情報、お気に入り情報、及び通知内容情報を登録している。
【００３６】
次に、図４を参照して、サーバ装置１０において実行される通知処理のフローの一例を説明する。なお、以下に説明する処理のフローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００３７】
まず、ステップＳ１１において、制御部１１は、記憶部１５（データベース１１０）に記憶された情報を参照し、端末装置２０のユーザがお気に入り情報として登録したアイテムに関連付けて登録された通知範囲の情報が示す領域に端末装置２０が進入したか否かを判断する。具体的には、通信部１４を介して、端末装置２０の測位情報又は端末装置２０が通信を行っている基地局（もしくは無線ルーター）の情報を定期的に受信し、制御部１１は、当該受信した情報に基づいて、端末装置２０のユーザが通知範囲に進入したか否かの判断を行う。もしくは、端末装置２０は測位処理を行い、測位情報に基づいて通知範囲の情報が示す領域に端末装置２０が進入したと判断したときに、端末装置２０は通知範囲に進入したことをサーバ装置１０へ通知する。サーバ装置１０は、当該通知に基づいて、通知範囲の情報が示す領域に端末装置２０が進入したか否かを判断する。なお、端末装置２０が通知範囲に進入したか否かの判断は、任意の方法で行うことができ、上記の方法に限定しない。
【００３８】
端末装置２０がお気に入り登録されたアイテムに関連付けられた通知範囲に進入したと判断された場合、ステップＳ１２において、制御部１１は、当該アイテムに関連付けて登録されている通知内容の情報を端末装置２０へ（例えば、メール又はプッシュ通知によって）通知する。通知内容の通知処理の詳細は、通知処理部１０５の説明において前述したとおりである。
【００３９】
以上のように本実施形態によれば、端末装置２０のユーザがアイテムに関連付けられた場所に近づいたときにアイテムに関する情報（例えば、広告、キャンペーン、クーポンの情報）がユーザに配信される。その結果、コンテンツのプロバイダは、より効果的にアイテム（コンテンツ）に関する情報を配信することができる。
【００４０】
［その他の実施形態］
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【００４１】
また、本発明のプログラムは、本発明に係る装置を実現するための命令を含むことによって実現される。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【符号の説明】
【００４２】
１  情報処理システム、１０  サーバ装置、１１  制御部、１２  ＣＰＵ、１３  メモリ、１４  通信部、１５  記憶部、１６  ディスプレイ、１７  操作部、２０  端末装置
【図１】
2014153774.tif 000003
【図２】
2014153774.tif 000004
【図４】
2014153774.tif 000005
【図３】
2014153774.tif 000006